(57)【要約】【課題】組み立てが容易なレンズ保持装置を提供すること。【解決手段】  レンズを保持するレンズキャリア（５０）と、前記レンズキャリアを相対移動可能に支持するベース部（７０）と、導電性を有しており、前記ベース部と前記レンズキャリアとを弾性的に接続するスプリング（６０）と、前記ベース部に設置される接続端子（８０ａ，８０ｂ）と、を有し、前記ベース部には、前記レンズの光軸方向に略平行な方向に延在する側面に開口を備え前記光軸方向に略直交する方向に延在する収納溝（７６ａ，７６ｂ）が形成されており、前記接続端子は、前記スプリングと電気的に接続される第１端部（８１ａ，８１ｂ）と、前記第１端部とは反対側の端部である第２端部（８２ａ，８２ｂ）と、前記光軸方向に略直交する方向に延在して前記第１端部と前記第２端部とを接続しており前記収納溝に収納される接続部（８３ａ，８３ｂ）とを有することを特徴とするレンズ保持装置。【選択図】図４
2014174403.tif 000002
【特許請求の範囲】
【請求項１】
レンズを保持するレンズキャリアと、
前記レンズキャリアを相対移動可能に支持するベース部と、
導電性を有しており、前記ベース部と前記レンズキャリアとを弾性的に接続するスプリングと、
前記ベース部に設置される接続端子と、を有し、
前記ベース部には、前記レンズの光軸方向に略平行な方向に延在する側面に開口を備え前記光軸方向に略直交する方向に延在する収納溝が形成されており、
前記接続端子は、前記スプリングと電気的に接続される第１端部と、前記第１端部とは反対側の端部である第２端部と、前記光軸方向に略直交する方向に延在して前記第１端部と前記第２端部とを接続しており前記収納溝に収納される接続部とを有することを特徴とするレンズ保持装置。
【請求項２】
前記接続端子の前記第１端部及び前記第２端部は、前記光軸方向に略平行な方向に延在することを特徴とする請求項１に記載のレンズ保持装置。
【請求項３】
前記ベース部は、前記光軸方向に略直交する方向に延在し前記スプリングの一部が設置されるスプリング設置面を有し、
前記第１端部は、前記スプリング設置面から突出している突出部を有することを特徴とする請求項１又は請求項２に記載のレンズ保持装置。
【請求項４】
前記ベース部には、前記スプリング設置面及び前記側面に開口を備え前記収納溝に連通する連通溝が形成されており、
前記第１端部は、前記連通溝を挿通することを特徴とする請求項３に記載のレンズ保持装置。
【請求項５】
前記スプリングは、前記光軸方向から見て前記突出部と前記側面との間を通過する外縁部を有することを特徴とする請求項３又は請求項４に記載のレンズ保持装置。
【請求項６】
前記スプリングには、前記突出部が挿通する貫通孔が形成されていることを特徴とする請求項３から請求項５までのいずれかに記載のレンズ保持装置。
【請求項７】
前記接続端子は板材を折り曲げて形成されており、
前記板材の面の延在方向は、前記第２端部においては前記側面に略平行であり、前記第１端部と前記第２端部とで互いに略直交することを特徴とする請求項１から請求項６までのいずれかに記載のレンズ保持装置。
【請求項８】
２つの前記接続端子を有しており、
前記ベース部には、それぞれの前記接続端子が収納される前記収納溝が、前記接続端子に対応して形成されており、
前記レンズキャリアは駆動用コイルを備えており、
前記スプリングは、いずれか一方の前記接続端子と前記駆動用コイルの一方の端部とを電気的に接続する第１部分と、他方の前記接続端子と前記駆動用コイルの他方の端部とを電気的に接続する第２部分とを有し、前記第１部分と前記第２部分とは互いに絶縁されていることを特徴とする請求項１から請求項７までのいずれかに記載のレンズ保持装置。
【発明の詳細な説明】
【技術分野】
【０００１】
本発明は、たとえば携帯電話のカメラモジュールなどに好適に用いられるレンズ保持装置に関する。
【背景技術】
【０００２】
携帯電話のカメラモジュール等に好適に用いられるレンズ保持装置では、フォーカシング動作等を行うことができるように、レンズキャリアを相対移動させる機能を有するものが提案されている。
【０００３】
また、このようなレンズ保持装置には、レンズキャリアを相対移動させるための電力を供給等するための接続端子を備えるものがあり、組立工程の効率化等を目的として、接続端子の設置態様の改善等が提案されている（特許文献１等参照）。
【先行技術文献】
【特許文献】
【０００４】
【特許文献１】特開２０１１−１５４１２０号公報
【発明の概要】
【発明が解決しようとする課題】
【０００５】
しかし、従来技術に係るレンズ保持装置では、接続端子と他の部材との導通を確保する工程の前に、接続端子を熱溶着等により固定する工程が含まれ、組み立てに手間がかかるという問題があり、また、その形状が複雑であるという問題を有する。
【０００６】
本発明は、このような実状に鑑みてなされ、その目的は、接続端子を所定の位置に簡単で確実に配置可能であり、組み立てが容易なレンズ保持装置を提供することである。
【課題を解決するための手段】
【０００７】
上記目的を達成するために、本発明に係るレンズ保持装置は、
レンズを保持するレンズキャリアと、
前記レンズキャリアを相対移動可能に支持するベース部と、
導電性を有しており、前記ベース部と前記レンズキャリアとを弾性的に接続するスプリングと、
前記ベース部に設置される接続端子と、を有し、
前記ベース部には、前記レンズの光軸方向に略平行な方向に延在する側面に開口を備え前記光軸方向に略直交する方向に延在する収納溝が形成されており、
前記接続端子は、前記スプリングと電気的に接続される第１端部と、前記第１端部とは反対側の端部である第２端部と、前記光軸方向に略直交する方向に延在して前記第１端部と前記第２端部とを接続しており前記収納溝に収納される接続部とを有する。
【０００８】
本発明に係るレンズ保持装置は、収納溝が形成されたベース部と、ベース部に収納される接続部を有する接続端子を有する。収納溝及び接続端子を上述のような形状とすることにより、接続端子を、ベース部の側面側から、収納溝に沿ってスライドさせながら挿入することにより、所定の位置に容易かつ確実に配置することが可能である。また、本発明に係るレンズ保持装置は、接続端子に関連する組み立てが容易である。
【０００９】
また、例えば、前記接続端子の前記第１端部及び前記第２端部は、前記光軸方向に略平行な方向に延在しても良い。
【００１０】
第１端子が光軸方向に略平行な方向に延在することにより、スプリングと接続端子との電気的な導通を容易に確保することが可能であり、前記第２端部が光軸方向に略平行な方向に延在することにより、接続端子の外部基板への接続が容易である。
【００１１】
また、例えば、前記ベース部は、前記光軸方向に略直交する方向に延在し前記スプリングの一部が設置されるスプリング設置面を有しても良く、
前記第１端部は、前記スプリング設置面から突出している突出部を有しても良い。
【００１２】
このようなレンズ保持装置は、突出部を利用して、スプリングと接続端子との電気的な導通を容易に確保することが可能である。
【００１３】
また、例えば、前記ベース部には、前記スプリング設置面及び前記側面に開口を備え前記収納溝に連通する連通溝が形成されても良く、
前記第１端部は、前記連通溝を挿通しても良い。
【００１４】
第１端部によって挿通される連通溝が、ベース部に形成されていることにより、接続端子は、前記ベース部に確実に保持される。
【００１５】
また、例えば、前記スプリングは、前記光軸方向から見て前記突出部と前記側面との間を通過する外縁部を有しても良く、前記スプリングには、前記突出部が挿通する貫通孔が形成されていても良い。
【００１６】
このようなレンズ保持装置は、前記接続端子と前記スプリングとの導通を確保するような工程において、前記接続端子が前記ベースから脱落することを、確実に防止することができる。
【００１７】
また、例えば、前記接続端子は板材を折り曲げて形成されており、
前記板材の面の延在方向は、前記第２端部においては前記側面に略平行であり、前記第１端部と第２端部とで互いに略直交しても良い。
【００１８】
このような接続端子は、形状が単純でありながら、狭いスペースに配置することが可能であり、レンズ保持装置の小型化に資する。
【００１９】
また、例えば、本発明に係るレンズ保持装置は、２つの前記接続端子を有しても良く、
前記ベース部には、それぞれの前記接続端子が収納される前記収納溝が、前記接続端子に対応して形成されていても良く、
前記レンズキャリアは駆動用コイルを備えていても良く、
前記スプリングは、いずれか一方の前記接続端子と前記駆動用コイルの一方の端部とを電気的に接続する第１部分と、他方の前記接続端子と前記駆動用コイルの他方の端部とを電気的に接続する第２部分とを有し、前記第１部分と前記第２部分とは互いに絶縁されていても良い。
【００２０】
このようなレンズ保持装置は、レンズキャリアの駆動用コイルへの給電構造を、組み立てが容易な態様で構成することができるので、生産性に優れている。
【図面の簡単な説明】
【００２１】
【図１】図１は、本発明の一実施形態に係るレンズ保持装置の斜視図である。
【図２】図２は、図１に示すレンズ保持装置の分解斜視図である。
【図３】図３は、Ｂスプリング、ボトム及び接続端子の部分組み立て状態を表す斜視図である。
【図４】図４は、Ｂスプリング、ボトム及び接続端子の部分組み立て状態を表す側面図である。
【図５】図５は、Ｂスプリング、ボトム及び接続端子の部分組み立て状態を表す平面図である。
【図６】図６は、Ｂスプリング、ボトム及び接続端子の部分組み立て工程を説明するための分解斜視図である。
【図７】図７は、ボトムに対する接続端子の配置を表す平面図である。
【図８】図８は、Ｂスプリングと接続端子の電気的な導通の確保を説明した拡大平面図である。
【図９】図９は、接続端子の作製に用いる板材の平面図である。
【発明を実施するための形態】
【００２２】
第１実施形態
図１は、本発明の一実施形態に係るレンズ保持装置１０の斜視図である。レンズ保持装置１０は、略直方体形状の外形状を有している。レンズ保持装置１０の中心部には、図示省略のレンズを保持するレンズキャリア５０が配置されており、レンズキャリア５０の外周側には、レンズキャリア５０を囲むように、ヨーク４０と、ベース部としてのボトム７０が配置されている。
【００２３】
レンズ保持装置１０では、レンズを保持するレンズキャリア５０を、キャップ２０（図２参照）およびボトム７０が、相対移動自在に保持する。また、後述するように、レンズ保持装置１０の内部には、ボイスコイルモータが内蔵されており、レンズ保持装置１０は、ボイスコイルモータによってレンズキャリア５０を、ボトム７０等に対して光軸α方向に相対移動させることが可能である。レンズ保持装置１０は、出射側に配置される撮像素子と組み合わせて、フォーカス機構を有するカメラモジュール等として使用されるが、レンズ保持装置１０の用途はこれに限定されない。
【００２４】
図２は、図１に示すレンズ保持装置１０の分解斜視図である。レンズ保持装置１０は、ヨーク４０、キャップ２０、Ｆスプリング３０、レンズキャリア５０、マグネット４４、コイル４８、Ｂスプリング６０、ボトム７０、接続端子Ｒ８０ａ及び接続端子Ｌ８０ｂを有する。なお、レンズ保持装置１０の説明では、レンズの光軸αに沿って、撮影光がレンズに入射してくる側を入射側とし、入射した撮影光を出射する側を出射側として説明を行う。
【００２５】
ヨーク４０は、マグネット４４の磁束をコイル４８に対して導く部材であり、鉄等の軟磁性材料によって作製される。本実施形態におけるレンズ保持装置１０においては、ヨーク４０は、キャップ２０やボトム７０の外周を覆う外周部４０ａを有するが、ヨーク４０の形状は特に限定されず、キャップ２０及びボトム７０の内部に配置される形状であっても良い。また、本実施形態におけるヨーク４０は、略直方体状の外観形状を有する一部材で構成されているが、マグネット４４のように、複数の部材に分割されていてもよい。
【００２６】
キャップ２０は、Ｆスプリング３０を介して、レンズキャリア５０を入射側から支持する。キャップ２０は、略矩形の額縁形状を有するキャップ枠部２２と、キャップ枠部２２の四隅から光軸α方向の出射側に突出するキャップ柱部２４とを有する。キャップ枠部２２における出射側の端面には、Ｆスプリング設置面２２ａが形成されている。Ｆスプリング設置面２２ａは、光軸α方向に略直交する方向に延在している。Ｆスプリング設置面２２ａには、Ｆスプリング３０の外環部３２が、接着剤等により固定される。また、キャップ２０のキャップ柱部２４は、接着剤等により、ボトム７０のボトム柱部７４に接続される。
【００２７】
図２に示すＦスプリング３０は、キャップ２０とレンズキャリア５０とを弾性的に接続する。レンズキャリア５０は、Ｆスプリング３０とＢスプリング６０を介して、キャップ２０が固定されたボトム７０に対して、光軸α方向に移動自在に支持される。Ｆスプリング３０は、外環部３２と、内環部３４と、アーム部３６とからなる多重のリング形状を有している。
【００２８】
Ｆスプリング３０の外周部分を構成する外環部３２は、キャップ枠部２２のＦスプリング設置面２２ａに固定される。Ｆスプリング３０の内環部３４は、外環部３２より内周側に配置されており、レンズキャリア５０の入射側内環設置部５４に、接着剤等によって固定される。外環部３２と内環部３４は、アーム部３６によって連結されている。
【００２９】
Ｆスプリング３０は、金属等の弾性材料によって構成されており、アーム部３６は、弾性変形することができる。アーム部３６が弾性変形することによって、内環部３４は、外環部３２に対して光軸α方向に相対移動することができる。
【００３０】
マグネット４４は、キャップ２０のキャップ枠部２２と、ボトム７０のボトム枠部７２とに挟まれて設置される。本実施形態において、マグネット４４は、キャップ２０及びボトム７０の柱部２４，７４の内周側に近接するように、レンズ保持装置１０の四隅に配置されており、組み立て状態において、レンズキャリア５０に取り付けられたコイル４８に対向する。マグネット４４は、ヨーク４０およびコイル４８とともに、レンズキャリア５０を駆動するためのボイスコイルモータを構成する。
【００３１】
コイル４８は、レンズキャリア５０の外周部に形成されているコイル設置部５２に固定される。また、コイル４８を構成する巻線の一方の端部は、ＢスプリングＲ６０ａの内環部Ｒ６４ａ（図５参照）に電気的に接続されており、他方の端部は、ＢスプリングＬ６０ｂの内環部Ｌ６４ｂ（図５参照）に電気的に接続されている。また、図５等に示すように、ＢスプリングＲ６０ａの外環部Ｒ６２ａには接続端子Ｒ８０ａ（突出部Ｒ８４ａは接続端子Ｒ８０ａの一部）が電気的に接続されており、ＢスプリングＬ６０ｂの外環部Ｌ６２ｂには接続端子Ｌ８０ｂ（突出部Ｌ８４ｂは接続端子Ｌ８０ｂの一部）が電気的に接続されている。したがって、図２に示すコイル４８には、ＢスプリングＲ６０ａ、ＢスプリングＬ６０ｂおよびこれらに接続される接続端子Ｒ８０ａ、接続端子Ｌ８０ｂを介して、レンズキャリア５０を駆動するための電力が供給される。
【００３２】
レンズキャリア５０は、中空無底の円筒形状を有しており、レンズキャリア５０の内周面にはレンズ（不図示）が固定される。レンズキャリア５０における入射側の端面には、入射側内環設置部５４が形成されており、入射側内環設置部５４には、Ｆスプリング３０の内環部３４が固定される。一方、レンズキャリア５０における出射側の端面には、出射側内環設置部５６が形成されており、Ｂスプリング６０の内環部Ｒ６４ａ及び内環部Ｌ６４ｂ（図５参照）が固定される。
【００３３】
図２に示すＢスプリング６０は、ベース部としてのボトム７０と、レンズキャリア５０とを、弾性的に接続する。Ｂスプリング６０は、互いに分離及び絶縁されている２つの部材であるＢスプリングＲ６０ａと、ＢスプリングＬ６０ｂによって構成されており、コイル４８に電力を供給するための配線の一部を兼ねている。Ｂスプリング６０は、２つに分離されていることを除いて、Ｆスプリング３０と類似する構造を有しており、図３に示すように、ＢスプリングＲ６０ａは、外環部Ｒ６２ａ、内環部Ｒ６４ａ、アーム部Ｒ６６ａとからなり、ＢスプリングＬ６０ｂは、外環部Ｌ６２ｂ、内環部Ｌ６４ｂ、アーム部Ｌ６６ｂとからなる。
【００３４】
図３に示すように、Ｂスプリング６０の外周部分を構成する外環部Ｒ６２ａ及び外環部Ｌ６２ｂは、ボトム枠部７２におけるＢスプリング設置面７２ａに固定される。Ｂスプリング６０の内環部Ｒ６４ａ，内環部Ｌ６４ｂは、外環部Ｒ６２ａ及び外環部Ｌ６２ｂより内周側に配置されており、レンズキャリア５０の出射側内環設置部５６（図２参照）に、接着材等によって固定される。外環部Ｒ６２ａと内環部Ｒ６４ａは、アーム部Ｒ６６ａによって連結されており、外環部Ｌ６２ｂと内環部Ｌ６４ｂは、アーム部Ｌ６６ｂによって連結されている。
【００３５】
Ｂスプリング６０も、Ｆスプリング３０と同様に、金属等の弾性材料によって構成されており、アーム部Ｒ６６ａ及びアーム部Ｌ６６ｂは、弾性変形することができる。アーム部Ｒ６６ａ及びアーム部Ｌ６６ｂが弾性変形することによって、内環部Ｒ６４ａ及び内環部Ｌ６４ｂは、外環部Ｒ６２ａ及び外環部Ｌ６２ｂに対して、光軸α方向に相対移動することができる。
【００３６】
図２に示すボトム７０は、Ｂスプリング６０と、キャップ２０を介して連結されるＦスプリング３０とを介して、レンズキャリア５０を相対移動可能に支持する。ボトム７０は、中央部に貫通孔が形成されており、光軸α方向から見て略矩形の外周形状を有するボトム枠部７２と、ボトム枠部７２の４隅から光軸α方向の入射側に突出するボトム柱部７４とを有する。ボトム７０は、ボトム枠部７２の入射側の端面に、Ｂスプリング設置面７２ａを有する。Ｂスプリング設置面７２ａは、光軸α方向に略直交する方向に延在し、Ｂスプリング６０の外環部Ｒ６２ａ及び外環部Ｌ６２ｂが設置される（図５参照）。
【００３７】
図３及び図４に示すように、ボトム枠部７２は、光軸α方向に略平行な方向に延在する４つの外周側面を有しており、その一つである側面７５には、接続端子Ｒ８０ａ及び接続端子Ｌ８０ｂを組み立て及び設置するための溝等が形成されている。すなわち、側面７５には、接続端子Ｒ８０ａを設置するための収納溝Ｒ７６ａ、連通溝Ｒ７７ａ及び切り欠きＲ７８ａと、接続端子Ｌ８０ｂを設置するための収納溝Ｌ７６ｂ、連通溝Ｌ７７ｂ及び切り欠きＬ７８ｂとが形成されている。
【００３８】
収納溝Ｒ７６ａ及び収納溝Ｌ７６ｂは、側面７５に開口を備えており、光軸α方向に略直交する方向に延在し、光軸α方向に略直交する方向に延在する面を収納する。なお、収納溝Ｒ７６ａ及び収納溝Ｌ７６ｂが光軸α方向に略直交する方向に延在するということは、収納溝Ｒ７６ａ及び収納溝Ｌ７６ｂは、光軸α方向に略直交する方向に沿って延在して互いに対向する一対の壁部を有するということを意味する。
【００３９】
連通溝Ｒ７７ａ及び連通溝Ｌ７７ｂは、Ｂスプリング設置面７２ａ及び側面７５に開口を備える。また、連通溝Ｒ７７ａは収納溝Ｒ７６ａに連通し、連通溝Ｌ７７ｂは収納溝Ｌ７６ｂに連通する。連通溝Ｒ７７ａ及び連通溝Ｌ７７ｂは、光軸α方向に略平行な方向に延在し、光軸α方向に略平行な方向に延在する面を収納する。なお、連通溝Ｒ７７ａ及び連通溝Ｌ７７ｂが光軸α方向に略平行な方向に延在するということは、連通溝Ｒ７７ａ及び連通溝Ｌ７７ｂは、光軸α方向に略平行な方向に沿って延在して互いに対向する一対の壁部を有するということを意味する。
【００４０】
切り欠きＲ７８ａは、収納溝Ｒ７６ａに続く溝における出射側の壁の一部を切り欠いた形状を有しており、接続端子Ｒ８０ａの第２端部Ｒ８２ａを、出射側に逃がすことができる。また、切り欠きＬ７８ｂは、収納溝Ｌ７６ｂに続く溝における出射側の壁の一部を切り欠いた形状を有しており、接続端子Ｌ８０ｂの第２端部Ｌ８２ｂを、出射側に逃がすことができる。
【００４１】
図６に示すように、接続端子Ｒ８０ａは、光軸α方向に略平行な方向に延在しＢスプリングＲ６０ａと電気的に接続される第１端部Ｒ８１ａと、第１端部Ｒ８１ａとは反対側の端部である第２端部Ｒ８２ａと、第１端部Ｒ８１ａと第２端部Ｒ８２ａとを接続する接続部Ｒ８３ａとを有する。第１端部Ｒ８１ａ及び第２端部Ｒ８２ａは光軸α方向に略平行な方向に延在し、接続部Ｒ８３ａは光軸α方向に略直交する方向に延在する。
【００４２】
図４に示すように、接続端子Ｒ８０ａの接続部Ｒ８３ａは、ボトム７０の収納溝Ｒ７６ａに収納されている。第１端部Ｒ８１ａは、ボトム７０の連通溝Ｒ７７ａを挿通しており、その一部がＢスプリング設置面７２ａ及びＢスプリングＲ６０ａから入射側に突出している。すなわち、第１端部Ｒ８１ａは、Ｂスプリング設置面７２ａから突出している突出部Ｒ８４ａを有する。また、第２端部Ｒ８２ａは、切り欠きＲ７８ａを通っている。
【００４３】
図６に示すように、接続端子Ｌ８０ｂも、接続端子Ｒ８０ａと同様に、光軸α方向に略平行な方向に延在しＢスプリングＬ６０ｂと電気的に接続される第１端部Ｌ８１ｂと、第１端部Ｌ８１ｂとは反対側の端部である第２端部Ｌ８２ｂと、第１端部Ｌ８１ｂと第２端部Ｌ８２ｂとを接続する接続部Ｌ８３ｂとを有する。第１端部Ｌ８１ｂ及び第２端部Ｌ８２ｂは光軸α方向に略平行な方向に延在し、接続部Ｌ８３ｂは光軸α方向に略直交する方向に延在する。
【００４４】
接続端子Ｌ８０ｂは、接続端子Ｒ８０ａに対して対称に配置されている。すなわち、図４に示すように、接続端子Ｌ８０ｂの接続部Ｌ８３ｂは、ボトム７０の収納溝Ｌ７６ｂに収納されており、第１端部Ｌ８１ｂは、ボトム７０の連通溝Ｌ７７ｂを挿通しており、第１端部Ｌ８１ｂの一部である突出部Ｌ８４ｂが、Ｂスプリング設置面７２ａ及びＢスプリングＬ６０ｂから入射側に突出している。また、第２端部Ｌ８２ｂは、切り欠きＬ７８ｂを通っている。
【００４５】
接続端子Ｒ８０ａ及び接続端子Ｌ８０ｂは、外部からレンズ保持装置１０のボイスコイルモータへ電力を供給するための給電端子として機能する。したがって、第２端部Ｒ８２ａ及び第２端部Ｌ８２ｂは、不図示の外部基板等に対して、電気的に接続される。
【００４６】
図６から図８を用いて、ボトム７０に対する接続端子Ｒ８０ａ、接続端子Ｌ８０ｂ及びＢスプリング６０の組み立て方法を説明する。図６において矢印９０ａ及び矢印９０ｂで示すように、接続端子Ｒ８０ａと接続端子Ｌ８０ｂを、ボトム７０に対して組み付ける。接続端子Ｒ８０ａ及び接続端子Ｌ８０ｂは、その接続部Ｒ８３ａと接続部Ｌ８３ｂが、それぞれ収納溝Ｒ７６ａ、収納溝Ｌ７６ｂに収納されるように、側面７５側からボトム７０に装着される。
【００４７】
図７に示すように、第１端部Ｒ８１ａ及び第１端部Ｌ８１ｂによって挿通される連通溝Ｒ７７ａ及び連通溝Ｌ７７ｂは、Ｂスプリング設置面７２ａ及び側面７５に開口を備える。したがって、第１端部Ｒ８１ａ及び第１端部Ｌ８１ｂも、接続部Ｒ８３ａと接続部Ｌ８３ｂが収納溝Ｒ７６ａ、収納溝Ｌ７６ｂに入るのと同時に、側面７５側から連通溝Ｒ７７ａ及び連通溝Ｌ７７ｂに入ることができる。図６及び図７に示す第２端部Ｒ８２ａ及び第２端部Ｌ８２ｂも、同様にして、切り欠きＲ７８ａ及び切り欠きＬ７８ｂ（図４参照）に入ることができる。
【００４８】
図７に示すように、接続端子Ｒ８０ａと接続端子Ｌ８０ｂをボトム７０に対して組み付けた状態では、第１端部Ｒ８１ａの突出部Ｒ８４ａ及び第１端部Ｌ８１ｂの突出部Ｌ８４ｂが、Ｂスプリング設置面７２ａから突出している。接続端子Ｒ８０ａと接続端子Ｌ８０ｂが組み付けられたボトム７０に対して、次に、図６の矢印９１ａ及び矢印９１ｂで示すように、ＢスプリングＲ６０ａ及びＢスプリングＬ６０ｂを、Ｂスプリング設置面７２ａに配置する。
【００４９】
図５は、ボトム７０に対して接続端子Ｒ８０ａ、接続端子Ｌ８０ｂ及びＢスプリングＲ６０ａ、ＢスプリングＬ６０ｂを配置した状態を表している。ＢスプリングＲ６０ａの外環部Ｒ６２ａには貫通孔Ｒ６７ａが形成されており、ＢスプリングＬ６０ｂの外環部Ｌ６２ｂには貫通孔Ｌ６７ｂが形成されている。Ｂスプリング設置面７２ａから突出している突出部Ｒ８４ａと突出部Ｌ８４ｂは、対応する貫通孔Ｒ６７ａまたは貫通孔Ｌ６７ｂを挿通する。
【００５０】
突出部Ｒ８４の周辺を拡大した図８に示すように、光軸α方向から見て突出部Ｒ８４ａとボトム７０の側面７５との間を、外環部Ｌ６２ｂ（ＢスプリングＲ６０ａの一部）の外縁部Ｒ６８ａが通過している。外縁部Ｒ６８ａは、連通溝Ｒ７７ａの開口の一部を塞ぎ、第１端部Ｒ８１ａの移動を規制するため、次に述べるはんだ付け工程が終了するまでの間に、接続端子Ｒ８０ａが脱落することを防止する。
【００５１】
ボトム７０に対して接続端子Ｒ８０ａ、接続端子Ｌ８０ｂ及びＢスプリング６０を配置した後、接続端子Ｒ８０ａ、接続端子Ｌ８０ｂと、ＢスプリングＲ６０ａ、ＢスプリングＬ６０ｂとの導通を確保する。図８に示す例では、第１端部Ｒ８１ａ（突出部Ｒ８４ａを含むことが好ましい）と外環部Ｒ６２ａに跨るように、はんだを固化させてはんだ固化部８８を形成する。第１端部Ｌ８１ｂと外環部Ｌ６２ｂについても、図８と同様にしてはんだ固化部８８を形成する。
【００５２】
以上のようにして、本実施形態に係るレンズ保持装置１０では、ボトム７０に対して接続端子Ｒ８０ａ、接続端子Ｌ８０ｂ及びＢスプリング６０を組み立てることができる。
【００５３】
なお、図６に示す接続端子Ｒ８０ａ、接続端子Ｌ８０ｂの作製方法は特に限定されないが、例えば図９に示すような金属製の板材８９ａ，８９ｂを、折り曲げ加工して作製することができる。この場合、板材８９ａ，８９ｂの面の延在方向は、図６に示すように、第２端部Ｒ８２ａ，第２端部Ｌ８２ｂにおいては側面７５に平行であり、第１端部Ｒ８１ａ及び第１端部Ｌ８１ｂと第２端部Ｒ８２ａ及び第２端部Ｌ８２ｂとで互いに直交している。
【００５４】
このような接続端子Ｒ８０ａ、接続端子Ｌ８０ｂは、形状が単純でありながら、ボトム７０の狭いスペースに配置することが可能であり、レンズ保持装置１０の小型化に資する。
【００５５】
レンズ保持装置１０は、図６に示すように、接続端子Ｒ８０ａの接続部Ｒ８３ａと接続端子Ｌ８０ｂの接続部Ｌ８３ｂとを、ボトム７０の側面７５側から、収納溝Ｒ７６ａ、収納溝Ｌ７６ｂに沿ってスライドさせながら挿入することにより、所定の位置に容易かつ確実に配置することが可能である。
【００５６】
第１端部Ｒ８１ａと第１端部Ｌ８１ｂは、接続部Ｒ８３ａ又は接続部Ｌ８３ｂの端部から、光軸α方向に略平行な方向であって、出射側に向かって延在している。これにより、第１端部Ｒ８１ａと第１端部Ｌ８１ｂの先端は、Ｂスプリング設置面７２ａに近づき、或いはＢスプリング設置面７２ａから突出するため、Ｂスプリング設置面７２ａに配置されるＢスプリング６０との導通の確保が容易となる。
【００５７】
また、ボトム７０には、連通溝Ｒ７７ａ、連通溝Ｌ７７ｂも形成されており、第１端部Ｒ８１ａと第１端部Ｌ８１ｂとが、連通溝Ｒ７７ａ、連通溝Ｌ７７ｂを挿通する。これにより、接続端子Ｒ８０ａ及び接続端子Ｌ８０ｂは、より正確に所定の場所に組み付けることが可能であり、また、より確実にボトム７０に保持される。
【００５８】
その他の実施形態
上述のようなレンズ保持装置１０は、レンズ保持装置１０全体を、光軸αに直交する方向に移動させるボイスコイルモータと組み合わせることによって、フォーカス機構とブレ補正機構を有する光学装置として、使用されてもよい。また、接続端子Ｒ８０ａ、接続端子Ｌ８０ｂと、ＢスプリングＲ６０ａ、ＢスプリングＬ６０ｂとの導通を確保する方法としてははんだ付けに限定されず、導電性の接着剤を用いる方法や、溶着やカシメ等によって導通が確保されても良い。また、図６等に示す例とは異なり、ＢスプリングＲ６０ａとＢスプリングＬ６０ｂや、接続端子Ｒ８０ａと接続端子Ｌ８０ｂは、ボトム７０に対して組み立てられる時点では一体であっても良く、ボイスコイルモータを駆動させるまでの間に分離・絶縁されれば良い。
【符号の説明】
【００５９】
１０…レンズ保持装置
１２…カバー
２０…キャップ
２２…キャップ枠部
２２ａ…Ｆスプリング設置面
２４…キャップ柱部
３０…Ｆスプリング
３２…外環部
３４…内環部
３６…アーム部
４０…ヨーク
４０ａ…外周部
４４…マグネット
４８…コイル
５０…レンズキャリア
５２…コイル設置部
５４…入射側内環設置部
５６…出射側内環設置部
６０…Ｂスプリング
６０ａ…ＢスプリングＲ
６０ｂ…ＢスプリングＬ
６２ａ，６２ｂ…外環部
６４ａ，６４ｂ…内環部
６６ａ，６６ｂ…アーム部
６７ａ，６７ｂ…貫通孔
６８ａ…外縁部
７０…ボトム
７２…ボトム枠部
７２ａ…Ｂスプリング設置面
７４…ボトム柱部
７５…側面
７６ａ，７６ｂ…収納溝
７７ａ，７７ｂ…連通溝
７８ａ，７８ｂ…切り欠き
８０ａ，８０ｂ…接続端子
８１ａ，８１ｂ…第１端部
８２ａ，８２ｂ…第２端部
８３ａ，８３ｂ…接続部
８４ａ，８４ｂ…突出部
８８…はんだ
【図１】
2014174403.tif 000003
【図２】
2014174403.tif 000004
【図３】
2014174403.tif 000005
【図４】
2014174403.tif 000006
【図５】
2014174403.tif 000007
【図６】
2014174403.tif 000008
【図７】
2014174403.tif 000009
【図８】
2014174403.tif 000010
【図９】
2014174403.tif 000011